(57)【要約】【課題】安定性の向上した薄型表示装置の提供を課題とする。【解決手段】前面２０ａに表示窓２１を形成したキャビネット２０，３０及び該キャビネット２０，３０に収容される表示パネル４０を有する本体１０と、該本体１０の下方に配置されたスタンド５０と、該スタンド５０に固定されて該スタンド５０の上方となる位置で前記表示パネル４０の背面４０ｂを固定して前記本体１０を支持する支持手段６０とを備える薄型表示装置１において、前記支持手段６０に、前記スタンド５０に固定される被固定部８１と、該被固定部８１よりも上方となる位置で前記表示パネル４０の背面４０ｂを固定するための固定用部位８４とを有し、前記スタンド５０の方から上方へ延出するとともに前記表示パネル４０の重心を後方へ移した形状とされた支持部材７０を設ける。【選択図】図５
2010141610.tif 000002
【特許請求の範囲】
【請求項１】
前面に表示窓を形成したキャビネット及び該キャビネットに収容される表示パネルを有する本体と、該本体の下方に配置されたスタンドと、該スタンドに固定されて該スタンドの上方となる位置で前記表示パネルの背面を固定して前記本体を支持する支持手段とを備える薄型表示装置において、
前記支持手段は、
前記スタンドに固定される被固定部と、該被固定部よりも上方となる位置で前記表示パネルの背面を固定するための固定用部位とを有し、前記スタンドの方から上方へ延出するとともに前記表示パネルの重心を後方へ移した形状とされた支持部材を備えることを特徴とする薄型表示装置。
【請求項２】
前記支持部材は、上部に前側が後方へ退避した形状の退避部を有し、
該退避部に前記固定用部位が設けられていることを特徴とする請求項１に記載の薄型表示装置。
【請求項３】
前記被固定部が前記支持部材の下端部に設けられ、
該被固定部と前記スタンドの上面のいずれか一方の部位に開口が形成され、他方の部位に前記開口に挿入して前記一方の部位に掛止する掛止部が形成されていることを特徴とする請求項１又は請求項２に記載の薄型表示装置。
【請求項４】
前記キャビネットの底部が前記被固定部と前記スタンドの上面との間に挟まれ、該キャビネットの底部に第二の開口が形成され、前記掛止部が前記一方の部位の開口及び前記第二の開口に挿入して前記一方の部位に掛止することを特徴とする請求項３に記載の薄型表示装置。
【請求項５】
前記被固定部には、前記スタンドにねじ止めされるねじ孔が形成され、
前記スタンドには、前記掛止部が前記一方の部位の開口に挿入して前記一方の部位に掛止したときにねじを下から前記ねじ孔まで通すねじ止め用孔が形成され、
前記掛止部が前記一方の部位の開口に挿入して前記一方の部位に掛止したときに下から前記ねじ止め用孔を通ったねじが前記ねじ孔に螺合することにより前記被固定部が前記スタンドに固定されることを特徴とする請求項３又は請求項４に記載の薄型表示装置。
【請求項６】
前記キャビネットは、前記固定用部位の後側から前方へ突出して該固定用部位に当接するボスを有し、
該ボスと前記固定用部位と前記表示パネルの背面とが共締めされたことを特徴とする請求項１〜請求項５のいずれか一項に記載の薄型表示装置。
【請求項７】
前記キャビネットは、前記表示窓を形成したフロントキャビネットと、該フロントキャビネットの後側に配置されたリヤキャビネットとを有し、
前記支持部材は、前記表示パネルよりも下側となる部分に第二の固定用部位を有し、
前記リヤキャビネットは、前記第二の固定用部位の後側から前方へ突出して該第二の固定用部位に当接する第二のボスを有し、
前記フロントキャビネットは、前記第二の固定用部位の前側から後方へ突出して該第二の固定用部位に当接する第三のボスを有し、
前記第二のボスと前記第二の固定用部位と前記第三のボスとが共締めされたことを特徴とする請求項６に記載の薄型表示装置。
【請求項８】
前記支持部材は、板金を折り曲げ加工することにより形成された部材とされ、
該支持部材は、
前記スタンドの方から上方へ延出した後部延出部と、
該後部延出部の幅方向の縁部から前方へ延出した前方延出部と、
該前方延出部の前縁から前記幅方向の外方へ延出した外方延出部と、
前記後部延出部の下縁に合わせて略水平に配置された水平延出部とを有し、
前記被固定部が前記水平延出部に設けられ、
前記外方延出部は、上部に前記固定用部位が設けられ、かつ、上部が後方へ退避した形状とされていることを特徴とする請求項１〜請求項７のいずれか一項に記載の薄型表示装置。
【請求項９】
前記キャビネットは、前記表示窓を形成した樹脂製のフロントキャビネットと、該フロントキャビネットの後側に配置された樹脂製のリヤキャビネットとを有し、
前記表示パネルは、前記支持部材にねじ止めされる左側パネルねじ孔及び右側パネルねじ孔を有する液晶表示パネルとされ、
前記支持部材は、板金を折り曲げ加工することにより形成された部材とされ、
該支持部材は、
前記スタンドの方から上方へ延出した後部延出部と、
前から見たときの前記後部延出部の左縁から前方へ延出した左側前方延出部と、
前から見たときの前記後部延出部の右縁から前方へ延出した右側前方延出部と、
前記左側前方延出部の前縁から左方へ延出した左側外方延出部と、
前記右側前方延出部の前縁から右方へ延出した右側外方延出部と、
前記後部延出部の下縁に合わせて略水平に配置された水平延出部とを有し、
前記被固定部が前記水平延出部に設けられ、
前記左側外方延出部は、上部に後方へ退避した形状の左側退避部を有し、
前記右側外方延出部は、上部に後方へ退避した形状の右側退避部を有し、
前記左側退避部及び前記右側退避部に前記固定用部位が設けられ、
該固定用部位には、ねじを後ろから前記パネルねじ孔まで通すねじ止め用孔が形成され、
前記左側外方延出部及び前記右側外方延出部には、前記表示パネルよりも下側となる部分にねじ止め用孔が形成され、
前記リヤキャビネットは、前記左側退避部の後側から前方へ突出して前記固定用部位に当接する第一の左側ボスと、前記右側退避部の後側から前方へ突出して前記固定用部位に当接する第一の右側ボスと、前記第一の左側ボスよりも下側で前記左側外方延出部の後側から前方へ突出して該左側外方延出部に当接する第二の左側ボスと、前記第一の右側ボスよりも下側で前記右側外方延出部の後側から前方へ突出して該右側外方延出部に当接する第二の右側ボスとを有し、
前記第一の左側ボスと前記第一の右側ボスには、ねじを後ろから前記パネルねじ孔まで通すねじ止め用孔が形成され、
前記第二の左側ボスには、ねじを後ろから前記左側外方延出部のねじ止め用孔まで通すねじ止め用孔が形成され、
前記第二の右側ボスには、ねじを後ろから前記右側外方延出部のねじ止め用孔まで通すねじ止め用孔が形成され、
前記フロントキャビネットは、前記第二の左側ボスに対向する位置で後方へ突出して前記左側外方延出部に当接する第三の左側ボスと、前記第二の右側ボスに対向する位置で後方へ突出して前記右側外方延出部に当接する第三の右側ボスとを有し、
前記水平延出部に第一の開口が形成され、
前記キャビネットの底部が前記水平延出部と前記スタンドの上面との間に挟まれ、
該キャビネットの底部に第二の開口が形成され、
前記スタンドの上面に前記第二の開口及び前記第一の開口に挿入して前記水平延出部に掛止するフック部が形成され、
前記水平延出部には、前記スタンドにねじ止めされる板金ねじ孔が形成され、
前記キャビネットの底部には、ねじを下から前記板金ねじ孔まで通すねじ止め用孔が形成され、
前記スタンドには、前記フック部が前記第二の開口及び前記第一の開口に挿入して前記水平延出部に掛止したときにねじを下から前記板金ねじ孔まで通すねじ止め用孔が形成され、
前記第一の左側ボスのねじ止め用孔と前記左側退避部のねじ止め用孔を通ったねじが前記左側パネルねじ孔に螺合することにより前記第一の左側ボスと前記左側退避部と前記液晶表示パネルとが共締めされ、
前記第一の右側ボスのねじ止め用孔と前記右側退避部のねじ止め用孔を通ったねじが前記右側パネルねじ孔に螺合することにより前記第一の右側ボスと前記右側退避部と前記液晶表示パネルとが共締めされ、
前記第二の左側ボスのねじ止め用孔と前記左側外方延出部のねじ止め用孔を通ったねじが前記第三の左側ボスに螺合することにより前記第二の左側ボスと前記左側外方延出部と前記第三の左側ボスとが共締めされ、
前記第二の右側ボスのねじ止め用孔と前記右側外方延出部のねじ止め用孔を通ったねじが前記第三の右側ボスに螺合することにより前記第二の右側ボスと前記右側外方延出部と前記第三の右側ボスとが共締めされ、
前記フック部が前記第二の開口及び前記第一の開口に挿入して前記水平延出部に掛止したときに下から前記スタンドのねじ止め用孔及び前記キャビネットの底部のねじ止め用孔を通ったねじが前記板金ねじ孔に螺合することにより前記水平延出部が前記スタンドに固定されることを特徴とする請求項１に記載の薄型表示装置。
【発明の詳細な説明】
【技術分野】
【０００１】
本発明は、スタンドに固定された支持手段で薄型表示装置本体を支持した薄型表示装置に関する。
【背景技術】
【０００２】
図１８は、比較例に係る液晶テレビジョン（薄型表示装置）９００を模式的に示す側面図である。この液晶テレビジョン９００は、テレビジョン本体９１０、本体側ブラケット９２０、スタンド９３０、支持ブラケット９４０、を備えている。本体９１０は、前面に表示窓９１１ａを形成した樹脂製キャビネット９１１、該キャビネット９１１に収容される液晶表示パネル９１２、を有している。本体側ブラケット９２０は、板金をプレス成形することにより形成され、図示しないねじにより表示パネル９１２の背面９１２ｂに固定されている。スタンド９３０は、金属製底板９３１、支持ブラケット９４０を挿入する開口９３３ａが形成されたブラケット挿入部９３３を有する樹脂製の外装９３２、を備えている。支持ブラケット９４０は、板金をプレス成形することにより形成され、ブラケット挿入部９３３に挿入されて金属製底板９３１に固定される。この支持ブラケット９４０がねじ９５０により本体側ブラケット９２０の背面９２１に取り付けられる。従って、支持ブラケット９４０の前側に表示パネル９１２が固定されることになる。
【０００３】
図１９は、ブラケット９２０，９４０をねじ止めした液晶テレビジョン９００を模式的に示す側面図である。図の二点鎖線に示すように、スタンド９３０と支持ブラケット９４０の接続部９４１には、前へ傾いた荷重が加わる。
【０００４】
特許文献１には、液晶表示パネルを収容した筐体をスタンドで支持する薄型表示装置が記載されている。この薄型表示装置の筐体には、スタンドの支柱を下から挿入するための開口が形成されている。液晶表示パネルの背面には、スタンドの支柱の上端を挿入するための金具が取り付けられている。従って、スタンドの支柱の前側に液晶表示パネルが固定されることになる。
【０００５】
特許文献２には、キャビネットに液晶表示パネルを収容した液晶テレビジョン本体をスタンドで支持する液晶テレビジョンが記載されている。液晶表示パネルの後側を覆うバックキャビネットは、背面の下部に略Ｔ字形の凹部を有するキャビネット本体と、この凹部を塞ぐ塞体とに分割されている。スタンドの支柱は、前記塞体の後側に配置される。従って、スタンドの支柱の前側に液晶表示パネルが固定されることになる。
【０００６】
特許文献３には、キャビネットに液晶表示パネルを収容した液晶ディスプレイ本体をスタンドで支持する液晶ディスプレイが記載されている。液晶表示パネルの背面には、下方へ延出した板金製のブラケット部材が取り付けられている。スタンドには、下方へ延出したブラケット部材を挿入するための支持部が設けられている。従って、支持部の前側に液晶表示パネルが固定されることになる。
【０００７】
特許文献４には、キャビネットにプラズマディスプレイパネルを収容したプラズマテレビジョン本体を一対の脚部で支持するプラズマテレビジョンが記載されている。プラズマディスプレイパネルに背面には、長手方向を上下に向けた一対の上下連絡架橋フレームが取り付けられている。各脚部の支柱は、各上下連絡架橋フレームに挿入される。従って、スタンドの支柱の前側にプラズマディスプレイパネルが固定されることになる。
【特許文献１】特開２００７−３１０３１８号公報
【特許文献２】特開２００７−１０８３４５号公報
【特許文献３】特開２００８−１０２２８６号公報
【特許文献４】実用新案登録第３１１８２７５号公報
【発明の開示】
【発明が解決しようとする課題】
【０００８】
薄型表示装置は、前後方向のサイズを小さくすることが求められている。スタンドの前後方向のサイズを小さくするためには、薄型表示装置の安定性を向上させることが望まれる。
【０００９】
以上を鑑み、本発明は、安定性の向上した薄型表示装置の提供を目的としている。
【課題を解決するための手段】
【００１０】
上記目的を達成するため、本発明は、前面に表示窓を形成したキャビネット及び該キャビネットに収容される表示パネルを有する本体と、該本体の下方に配置されたスタンドと、該スタンドに固定されて該スタンドの上方となる位置で前記表示パネルの背面を固定して前記本体を支持する支持手段とを備える薄型表示装置において、前記支持手段は、前記スタンドに固定される被固定部と、該被固定部よりも上方となる位置で前記表示パネルの背面を固定するための固定用部位とを有し、前記スタンドの方から上方へ延出するとともに前記表示パネルの重心を後方へ移した形状とされた支持部材を備えることを特徴とする。
【００１１】
すなわち、スタンドに固定される支持部材は、スタンドの方から上方へ延出した形状とされるとともに、表示パネルの重心を後方へ移した形状とされている。従って、この支持部材で本体を支持した薄型表示装置は、安定性が向上する。
【００１２】
ここで、表示パネルの重心を後方へ移した支持部材の形状には、スタンドの方から上方へ延出した支持部材において固定用部位が設けられる上部の前側が後方へ退避した形状等が含まれる。
【発明の効果】
【００１３】
請求項１に係る発明によれば、安定性の向上した薄型表示装置を提供することができる。
請求項２に係る発明では、簡易な形状の支持部材を用いて安定性の向上した薄型表示装置を提供することができる。
請求項３、請求項５に係る発明では、組み立てを容易にさせる薄型表示装置を提供することができる。
請求項４、請求項６、請求項７に係る発明では、本体の安定性を向上させることができる。
請求項８に係る発明では、製造の容易な支持部材を用いて安定性の向上した薄型表示装置を提供することができる。
請求項９に係る発明では、製造の容易な支持部材を用いて組み立てが容易で安定性の向上した薄型表示装置を提供することができる。
【発明を実施するための最良の形態】
【００１４】
（１）薄型表示装置の説明：
図１は、本発明の一実施形態に係る液晶テレビジョン（薄型表示装置）１を正面から見て示す正面図である。以下、液晶テレビジョンをＴＶと記載する。
図２は、ＴＶ１を図１のＡ１方向から見て示す左側面図である。
図３は、ＴＶ１を図１のＡ２−Ａ２の位置で断面視して示す垂直断面図である。
図４は、ＴＶ１を図１のＡ３−Ａ３の位置で断面視して示す垂直断面図である。
図５は、ＴＶ１の要部を図１のＡ４−Ａ４の位置で断面視して示す垂直断面図である。
図６は、ＴＶ１の要部を図１のＡ５−Ａ５の位置で断面視して示す垂直断面図である。
図７は、フロントキャビネット２０を背面から見て示す背面図である。
図８は、リヤキャビネット３０を正面から見て示す正面図である。ここで、液晶表示パネル４０の位置を二点鎖線で示している。
図９は、ＴＶ１の本体１０を底面から見て示す底面図である。
図１０は、液晶表示パネル４０を背面から見て示す背面図である。
図１１は、スタンド５０の外観を示す斜視図である。
図１２は、スタンド５０を底面から見て示す底面図である。
図１３は、支持部材７０の外観を示す斜視図である。
図１４は、プレス成形（折り曲げ加工）前の板金Ｐ１を背面から見て示す背面図である。
図１５は、ＴＶ１の本体１０を組み立てる様子を図１のＡ２−Ａ２の位置で断面視して示す分解図である。
図１６は、ＴＶ１の本体１０を組み立てる様子を図１のＡ３−Ａ３の位置で断面視して示す分解図である。
図１７は、ＴＶ１を組み立てる様子を図１のＡ５−Ａ５の位置で断面視して示す分解図である。
なお、ＴＶ１を正面から見たとき（図１に示す状態）を基準として、上下左右の関係を説明する。
【００１５】
まず、ＴＶ１の概略を説明する。
ＴＶ１は、テレビジョン本体１０とスタンド５０と支持手段６０とを備える。本体１０は、前面２０ａに表示窓２１を形成したキャビネット２０，３０、及び、キャビネット２０，３０に収容される表示パネル４０を有する。スタンド５０は、本体１０の下方に配置されている。支持手段６０は、スタンド５０に固定されて該スタンド５０の上方となる位置で表示パネル４０の背面４０ｂを固定して本体１０を支持する。この支持手段６０は、スタンド５０に固定される被固定部８１と、該被固定部８１よりも上方となる位置で表示パネル４０の背面４０ｂを固定するための固定用部位８４とを有し、スタンド５０の方から上方へ延出するとともに表示パネル４０の重心を後方へ移した形状とされた支持部材７０を備える。
【００１６】
図３の二点鎖線に示すように、スタンド５０と支持部材７０の接続部（支持部材下端部７０ｂ）に加わる荷重の前への傾きは、少なくとも図１９で示した荷重の前への傾きよりも小さくなる。従って、支持部材７０で本体１０を支持したＴＶ１は、安定性が向上している。
【００１７】
また、本実施形態の支持部材７０は、上部７０ａに前側が後方へ退避した形状の退避部８２，８３を有している。固定用部位８４は、退避部８２，８３に設けられている。これにより、簡易な形状の支持部材７０を用いて表示パネル４０の重心を後方へ移すことができる。むろん、固定用部位８４が設けられた退避部８２，８３を有する支持部材７０の形状は、表示パネル４０の重心を後方へ移した支持部材７０の形状に含まれる。
【００１８】
さらに、本実施形態の被固定部８１は、支持部材７０の下端部７０ｂに設けられている。そして、被固定部８１とスタンド５０の上面５１ａのいずれか一方の部位（被固定部８１）に開口（８１ａ）が形成され、他方の部位（スタンド上面５１ａ）に開口（８１ａ）に挿入して前記一方の部位（被固定部８１）に掛止する掛止部５２が形成されている。これにより、ＴＶ１は、組み立てが容易となっている。
【００１９】
さらに、本実施形態のキャビネット３０の底部３１は、被固定部８１とスタンド５０の上面５１ａとの間に挟まれている。キャビネット３０の底部３１には、第二の開口３２が形成されている。掛止部５２は、前記一方の部位（被固定部８１）の開口（８１ａ）及び第二の開口３２に挿入して前記一方の部位（被固定部８１）に掛止する。これにより、本体１０の安定性が向上している。
【００２０】
さらに、本実施形態の被固定部８１には、スタンド５０にねじ止めされるねじ孔８１ｂが形成されている。スタンド５０には、掛止部５２が前記一方の部位の開口（８１ａ）に挿入して前記一方の部位（被固定部８１）に掛止したときにねじ６５を下からねじ孔８１ｂまで通すねじ止め用孔５３が形成されている。掛止部５２が前記一方の部位の開口（８１ａ）に挿入して前記一方の部位（被固定部８１）に掛止したとき、下からねじ止め用孔５３を通ったねじ６５がねじ孔８１ｂに螺合することにより被固定部８１がスタンド５０に固定される。これにより、これにより、ＴＶ１は、組み立てが容易となっている。
【００２１】
本実施形態のキャビネット２０，３０は、固定用部位８４の後側から前方へ突出して該固定用部位８４に当接するボス３３，３４を有している。これらのボス３３，３４と固定用部位８４と表示パネル４０の背面４０ｂとは、共締めされている。これにより、本体１０の安定性が向上している。
【００２２】
本実施形態のキャビネット２０，３０は、表示窓２１を形成したフロントキャビネット２０と、該フロントキャビネット２０の後側に配置されたリヤキャビネット３０とを有している。支持部材７０は、表示パネル４０よりも下側となる部分に第二の固定用部位８５を有している。リヤキャビネット３０は、第二の固定用部位８５の後側から前方へ突出して該第二の固定用部位８５に当接する第二のボス３５，３６を有している。フロントキャビネット２０は、第二の固定用部位８５の前側から後方へ突出して該第二の固定用部位８５に当接する第三のボス２３，２４を有している。第二のボス３５，３６と第二の固定用部位８５と前記第三のボス２３，２４とは、共締めされている。これにより、本体１０の安定性が向上している。
【００２３】
本実施形態の支持部材７０は、図１４に示すような板金Ｐ１を折り曲げ加工することにより形成された部材とされている。支持部材７０は、スタンド５０の方から上方へ延出した後部延出部７１と、該後部延出部７１の幅方向Ｄ１の縁部７１ｃ，７１ｄから前方へ延出した前方延出部７２，７３と、該前方延出部７２，７３の前縁７２ａ，７３ａから前記幅方向Ｄ１の外方へ延出した外方延出部７４，７５と、後部延出部７１の下縁７１ａに合わせて略水平に配置された水平延出部７６とを有している。ここで、後部延出部７１がスタンドの方から上方へ延出していることには、スタンドに接する位置から上方へ延出していることと、スタンドから離れた位置から上方へ延出していることとの両方が含まれる。被固定部８１は、水平延出部７６に設けられている。外方延出部７４，７５は、上部（７０ａ）に固定用部位８４が設けられ、かつ、上部（７０ａ）が後方へ退避した形状とされている。これにより、製造の容易な支持部材７０を用いて表示パネル４０の重心を後方へ移すことができる。
【００２４】
図１９に示す比較例のＴＶ９００は、テレビジョン本体９１０とスタンド９３０とを連結するために複数の板金加工品９２０，９４０が必要である。また、スタンド９３０から支持ブラケット９４０が延出しているため、支持ブラケット９４０のバリを取る加工をしたり、支持ブラケット９４０を樹脂カバーで覆う作業をしたりする等の安全性を確保する工程が必要となる。さらに、スタンド９３０と支持ブラケット９４０の接続部９４１には、前へ傾いた荷重が加わる。このため、ＴＶを前に傾けたり揺らしたりする安定性確認試験を行うと、ＴＶが不安定となることがある。そこで、比較例のＴＶ９００は、スタンドを大きくしたり重くしたりする対応が必要となる。
【００２５】
本実施形態のＴＶ１は、液晶表示パネル４０に接続する板金加工品７０をキャビネット２０，３０の内部に設置し、スタンド５０を該板金加工品７０に直接接続している。すなわち、ＴＶ１は、安定性向上のため、支持ブラケットによる間接的な接続を無くし、荷重の掛かる箇所を１箇所となるようにしている。スタンド５０と板金加工品７０を直接接続しているため、付随する板金加工品が削減され、ＴＶの部品点数が少なくなり、ＴＶのコストダウンに繋がる。また、テレビジョン本体とスタンドはいずれも延出した板金加工品が設けられないため、板金加工品のバリを取る加工や、板金加工品を樹脂カバーで覆う作業が不要となる。
【００２６】
以上より、本実施形態のＴＶ１は、テレビジョン本体を保持するスタンドの取り付け構造を簡素化することができ、テレビジョン本体の保持能力を向上させることができ、ＴＶの安定性を向上させることができ、ＴＶの部品点数を削減することができる。また、これらのことから、本実施形態のＴＶ１は、スタンドを小さくすることができ、安全性を確保するための板金加工品の加工や樹脂カバーを不要にすることができ、ＴＶの製造コストを低減させることができる。
【００２７】
次に、ＴＶ１の詳細を説明する。
本体１０は、前後方向に薄い略箱形のキャビネット２０，３０、映像を画面表示する液晶表示面を前方へ向けてキャビネット２０，３０内に収容された液晶表示パネル４０、制御回路が形成された図示しないプリント基板、放送信号を受信する図示しない受信部、音声を出力する図示しない音声出力部、等を備える。そして、前記制御回路の制御により、放送電波を受信したり外部入力端子から所定のフォーマットの信号を入力したりして、液晶表示面にて映像を表示し、音声出力部にて音声を出力する。
【００２８】
キャビネット２０，３０は、前面に表示パネル４０の表示窓２１を形成した樹脂製フロントキャビネット２０と、該フロントキャビネット２０の後側に配置された樹脂製リヤキャビネット３０とを有する。
フロントキャビネット２０は、図７等に示すように、前面２０ａの裏側となる内面２０ｂから後方へ突出した第三の左側ボス２３及び第三の右側ボス２４を有し、例えば熱可塑性樹脂等の樹脂を射出成形することにより複数のボスを有する形状に形成される。第三のボス２３，２４は、略円柱状とされ、支持部材７０の第二の固定用部位８５の前側から後方へ突出して該第二の固定用部位８５に当接する。むろん、ボス２３，２４の形状は、略円筒状など中空状でもよいし、略角柱状等でもよい。第三のボス２３，２４の先端面には、キャビネット２０，３０及び支持部材７０を共締めするためのねじ孔２３ａ，２４ａが形成されている。
【００２９】
リヤキャビネット３０は、図８等に示すように、背面３０ｂの反対側となる内面３０ａから前方へ突出した第一の左側ボス３３、第一の右側ボス３４、第二の左側ボス３５、及び、第二の左側ボス３５を有し、例えば熱可塑性樹脂等の樹脂を射出成形することにより複数のボスを有する形状に形成される。第二のボス３３，３４は、ねじ６１，６２を入れるため略円筒状とされ、支持部材７０の第一の固定用部位８４の後側から前方へ突出して該固定用部位８４に当接する。第二のボス３５，３６は、ねじ６３，６４を入れるため略円筒状とされ、支持部材７０の第二の固定用部位８５の後側から前方へ突出して該第二の固定用部位８５に当接する。むろん、ボス３３〜３６の形状は、外形が略角柱の筒状等でもよい。ボス３３，３４，３５，３６の先端面には、共締め用のねじ止め用孔３３ａ，３４ａ，３５ａ，３６ａが形成されている。
また、リヤキャビネット３０の底部３１は、図６等に示すように、支持部材７０の被固定部８１とスタンド５０の上面５１ａとの間に挟まれる。このキャビネット底部３１には、スタンドのフック部（掛止部）５２を通すため、支持部材７０の第一の開口８１ａの位置に合わせて第二の開口３２が形成されている。さらに、キャビネット底部３１には、支持部材７０の各板金ねじ孔８１ｂの位置に合わせてねじ止め用孔３１ａが複数形成されている。
【００３０】
液晶表示パネル４０は、表示面４０ａを正面に有し、図１０等に示すパネルねじ孔４１，４２，４３を背面４０ｂに有している。左側パネルねじ孔４１及び右側パネルねじ孔４２は、支持部材７０にねじ止めされる。
【００３１】
上述した本体１０の下方に配置されるスタンド５０は、図１１等に示すように、一般部の上面５０ａの略中央部分から上方へ凸とされた凸部５１を有し、内部に図示しない補強用リブを有している。この凸部５１の上面には、フック部５２及び複数のねじ止め用孔５３が形成されている。フック部５２は、凸部上面５１ａから上方へ延出した後に前方へ延出した形状とされ、リヤキャビネット底部の開口３２及び支持部材の開口８１ａに挿入して支持部材７０の水平延出部７６に掛止する形状とされている。各ねじ止め用孔５３は、フック部５２が開口３２，開口８１ａに挿入して水平延出部７６に掛止したときにねじ６５を下から支持部材７０の板金ねじ孔８１ｂまで通す。図１２に示すように、スタンド５０の底面５０ｂには、各ねじ止め用孔５３までねじ６５を通すためのねじ回し用孔５４が形成されている。
スタンド５０は、例えば、上記凸部を有するスタンド本体に底部材を嵌め合わせて形成される。これらスタンド本体と底部材は、例えば熱可塑性樹脂等の樹脂を射出成形することにより形成される。
【００３２】
支持手段６０は、支持部材７０及びねじ６１〜６５を有し、スタンド５０に固定され、かつ、スタンド５０の上方となる位置で液晶表示パネル背面４０ｂを固定して本体１０を支持する。
支持部材７０は、図１３等に示すように、後部延出部７１、左側前方延出部７２、右側前方延出部７３、左側外方延出部７４、右側外方延出部７５、水平延出部７６、を有する板金加工品とされている。後部延出部７１は、スタンド５０の方から上方へ延出している。左側前方延出部７２は、前から見たときの後部延出部７１の左縁７１ｃから前方へ延出している。右側前方延出部７３は、前から見たときの後部延出部７１の右縁７１ｄから前方へ延出している。左側外方延出部７４は、左側前方延出部７２の前縁７２ａから左方へ延出し、上部（７０ａ）に後方へ退避した形状の左側退避部８２を有している。この左側退避部８２には、ねじ止め用孔８４ａが形成されている。左側外方延出部７４には、左側退避部８２の下側にもねじ止め用孔８５ａが形成されている。右側外方延出部７５は、右側前方延出部７３の前縁７３ａから右方へ延出し、上部（７０ａ）に後方へ退避した形状の右側退避部８３を有している。この右側退避部８３には、ねじ止め用孔８４ａが形成されている。右側外方延出部７５には、右側退避部８３の下側にもねじ止め用孔８５ａが形成されている。水平延出部７６は、後部延出部７１の下縁７１ａから前方へ延出し、略中央部分に第一の開口８１ａが形成されるとともに、スタンド５０の各ねじ止め用孔５３の位置に合わせて板金ねじ孔８１ｂが複数形成されている。これにより、水平延出部７６は、後部延出部の下縁７１ａに合わせて略水平に配置されている。むろん。水平延出部７６は、左側前方延出部７２の下縁から右方へ延出した部位、右側前方延出部７３の下縁から左方へ延出した部位、両前方延出部７２，７３の下縁から互いに近づく方向へ延出した部位、等でもよい。
【００３３】
支持部材７０は、図１４に示す板金Ｐ１をプレス成形（折り曲げ加工）することに形成することができる。図１４に示す板金Ｐ１には、支持部材７０の各部に対応する位置に支持部材７０と同じ符号を付している。
【００３４】
上述した形状の支持部材７０は、被固定部８１、左側退避部８２、右側退避部８３、第二の固定用部位８５、を有している。スタンド５０に固定される被固定部８１は、支持部材７０の下端部７０ｂである水平延出部７６に設けられている。上部７０ａの前側が後方へ退避した形状の退避部８２，８３は、被固定部８１よりも上方となる位置で液晶表示パネル４０の背面４０ｂを固定するための第一の固定用部位８４，８４が設けられている。これらの固定用部位８４，８４は、退避部８２，８３においてねじ止め用孔８４ａ，８４ａを有する部位である。液晶表示パネル４０よりも下側となる部分にある第二の固定用部位８５，８５は、外方延出部７４，７５においてねじ止め用孔８５ａ，８５ａを有する部位である。
上述した支持部材７０は、スタンド５０の方から上方へ延出した上部７０ａに第一の固定用部位８４，８４（退避部８２，８３）が設けられているので、スタンド５０の方から上方へ延出するとともに液晶表示パネル４０の重心を後方へ移した形状といえる。
【００３５】
（１）薄型表示装置の組み立て方法並びに作用及び効果：
次に、ＴＶ１の組み立て方法を説明する。
まず、図１５と図１６に示すように、キャビネット２０，３０、液晶表示パネル４０、及び、支持部材７０をねじ６１〜６４で固定し、本体１０を形成する。このとき、フロントキャビネット２０の表示窓２１の位置に合わせて表示パネル４０を配置し、表示パネル４０のねじ孔４１，４２にねじ止め用孔８４ａ，８４ａを合わせ第三のボス２３，２４のねじ孔２３ａ，２４ａにねじ止め用孔８５ａ，８５ａを合わせて支持部材７０を配置し、支持部材７０のねじ止め用孔８４ａ，８４ａに第二のボス３３，３４のねじ止め用孔３４ａ，３５ａを合わせ支持部材７０のねじ止め用孔８５ａ，８５ａに第二のボス３５，３６のねじ止め用孔３５ａ，３６ａを合わせてリヤキャビネット３０を配置する。次に、図１５に示すねじ６１を第一の左側ボス３３のねじ止め用孔３３ａ及び左側退避部８２のねじ止め用孔８４ａに通して左側パネルねじ孔４１に螺合させ、図１６に示すねじ６２を第一の右側ボス３４のねじ止め用孔３４ａ及び右側退避部８３のねじ止め用孔８４ａに通して右側パネルねじ孔４２に螺合させる。これにより、第二のボス３３，３４と退避部８２，８３と液晶表示パネル４０とが共締めされ、本体１０の安定性が向上する。また、図１５に示すねじ６３を第二の左側ボス３５のねじ止め用孔３５ａ及び左側外方延出部７４のねじ止め用孔８５ａに通して第三の左側ボス２３のねじ孔２３ａに螺合させ、図１６に示すねじ６６を第二の右側ボス３６のねじ止め用孔３６ａ及び右側外方延出部７５のねじ止め用孔８５ａに通して第三の右側ボス２４のねじ孔２４ａに螺合させる。これにより、第二のボス３５，３６と外方延出部７４，７５と第三のボス２３，３４とが共締めされ、本体１０の安定性が向上する。
【００３６】
支持部材７０を取り付けた本体１０は、図９に示す底面図のように、底面にキャビネットの第二の開口３２及び複数のねじ止め用孔３１ａが見える状態となっている。第二の開口３２は、支持部材下端部７０ｂの第一の開口８１ａに繋がっている。各ねじ止め用孔３１ａは、支持部材下端部７０ｂの各板金ねじ孔８１ｂに繋がっている。そこで、まず、スタンド５０のフック部５２を開口３２，８１ａに挿入し、支持部材７０の水平延出部７６に掛止させて、本体１０にスタンド５０を位置決め（仮止め）した状態とする。このように、テレビジョン本体にスタンドを位置決めすることができるので、ＴＶの組み立てが容易である。次に、ねじ６５を下からスタンドのねじ止め用孔５４及びリヤキャビネットのねじ止め用孔３１ａに通し、支持部材下端部７０ｂの板金ねじ孔８１ｂに螺合させる。その際、本体１０及びスタンド５０を倒した状態にしてもよい。
以上により、支持部材７０の水平延出部７６とスタンド５０の上面５１ａとの間にキャビネット底部３１が挟まれた状態で支持部材の水平延出部７６がスタンド５０に固定される。従って、本体１０の安定性が向上する。
【００３７】
組み立てられたＴＶ１は、図３の二点鎖線に示すように、スタンド５０と支持部材７０の接続部（支持部材下端部７０ｂ）に加わる荷重の前への傾きが少なくとも図１９で示した荷重の前への傾きよりも小さくなっている。従って、本発明によると、安定性の向上した薄型表示装置を提供することができる。
【００３８】
なお、上述した実施形態は、以下のように言い換えることができる。
【００３９】
薄型表示装置１は、前面２０ａに表示窓２１を形成したキャビネット２０，３０及び該キャビネット２０，３０に収容される表示パネル４０を有する本体１０と、該本体１０の下方に配置されたスタンド５０と、該スタンド５０に固定されて該スタンド５０の上方となる位置で前記表示パネル４０の背面４０ｂを固定して前記本体１０を支持する支持手段６０とを備える。
前記支持手段６０は、
前記スタンド５０に固定される被固定部８１と、該被固定部８１よりも上方となる位置で前記表示パネル４０の背面４０ｂを固定するための固定用部位８４とを有し、前記スタンド５０の方から上方へ延出するとともに前記表示パネル４０の重心を後方へ移した形状とされた支持部材７０を備える。
前記キャビネット２０，３０は、前記表示窓２１を形成した樹脂製のフロントキャビネット２０と、該フロントキャビネット２０の後側に配置された樹脂製のリヤキャビネット３０とを有している。
前記表示パネル４０は、前記支持部材７０にねじ止めされる左側パネルねじ孔４１及び右側パネルねじ孔４２を有する液晶表示パネル４０とされている。
前記支持部材７０は、板金Ｐ１を折り曲げ加工することにより形成された部材とされている。
該支持部材７０は、
前記スタンド５０の方から上方へ延出した後部延出部７１と、
前から見たときの前記後部延出部７１の左縁７１ｃから前方へ延出した左側前方延出部７２と、
前から見たときの前記後部延出部７１の右縁７１ｄから前方へ延出した右側前方延出部７３と、
前記左側前方延出部７２の前縁７２ａから左方へ延出した左側外方延出部７４と、
前記右側前方延出部７３の前縁７３ａから右方へ延出した右側外方延出部７５と、
前記後部延出部７１の下縁７１ａに合わせて略水平に配置された水平延出部７６とを有している。
前記被固定部８１が前記水平延出部７６に設けられている。
前記左側外方延出部７４は、上部（７０ａ）に後方へ退避した形状の左側退避部８２を有している。
前記右側外方延出部７５は、上部（７０ａ）に後方へ退避した形状の右側退避部８３を有している。
前記左側退避部８２及び前記右側退避部８３に前記固定用部位８４，８４が設けられている。
該固定用部位８４，８４には、ねじ６１，６２を後ろから前記パネルねじ孔４１，４２まで通すねじ止め用孔８４ａ，８４ａが形成されている。
前記左側外方延出部７４及び前記右側外方延出部７５には、前記表示パネル４０よりも下側となる部分にねじ止め用孔８５ａ，８５ａが形成されている。
前記リヤキャビネット３０は、前記左側退避部８２の後側から前方へ突出して前記固定用部位８４に当接する第一の左側ボス３３と、前記右側退避部８３の後側から前方へ突出して前記固定用部位８４に当接する第一の右側ボス３４と、前記第一の左側ボス３３よりも下側で前記左側外方延出部７４の後側から前方へ突出して該左側外方延出部７４に当接する第二の左側ボス３５と、前記第一の右側ボス３４よりも下側で前記右側外方延出部７５の後側から前方へ突出して該右側外方延出部７５に当接する第二の右側ボス３６とを有している。
前記第一の左側ボス３３と前記第一の右側ボス３４には、ねじ６１，６２を後ろから前記パネルねじ孔４１，４２まで通すねじ止め用孔３３ａ，３４ａが形成されている。
前記第二の左側ボス３５には、ねじ６３を後ろから前記左側外方延出部７４のねじ止め用孔８５ａまで通すねじ止め用孔が形成されている。
前記第二の右側ボス３６には、ねじ６４を後ろから前記右側外方延出部７５のねじ止め用孔８５ａまで通すねじ止め用孔が形成されている。
前記フロントキャビネット２０は、前記第二の左側ボス３５に対向する位置で後方へ突出して前記左側外方延出部７４に当接する第三の左側ボス２３と、前記第二の右側ボス３６に対向する位置で後方へ突出して前記右側外方延出部７５に当接する第三の右側ボス２４とを有している。
前記水平延出部７６に第一の開口８１ａが形成されている。
前記キャビネット３０の底部３１が前記水平延出部７６と前記スタンド５０の上面５１ａとの間に挟まれている。
該キャビネット３０の底部３１に第二の開口３２が形成されている。
前記スタンド５０の上面５１ａに前記第二の開口３２及び前記第一の開口８１ａに挿入して前記水平延出部７６に掛止するフック部（掛止部）５２が形成されている。
前記水平延出部７６には、前記スタンド５０にねじ止めされる板金ねじ孔８１ｂが形成されている。
前記キャビネット３０の底部３１には、ねじ６５を下から前記板金ねじ孔８１ｂまで通すねじ止め用孔３１ａが形成されている。
前記スタンド５０には、前記フック部５２が前記第二の開口３２及び前記第一の開口８１ａに挿入して前記水平延出部７６に掛止したときにねじ６５を下から前記板金ねじ孔８１ｂまで通すねじ止め用孔５３が形成されている。
前記第一の左側ボス３３のねじ止め用孔３３ａと前記左側退避部８２のねじ止め用孔８４ａを通ったねじ６１が前記左側パネルねじ孔４１に螺合することにより前記第一の左側ボス３３と前記左側退避部８２と前記液晶表示パネル４０とが共締めされている。
前記第一の右側ボス３４のねじ止め用孔３４ａと前記右側退避部８３のねじ止め用孔８４ａを通ったねじ６２が前記右側パネルねじ孔４２に螺合することにより前記第一の右側ボス３４と前記右側退避部８３と前記液晶表示パネル４０とが共締めされている。
前記第二の左側ボス３５のねじ止め用孔３５ａと前記左側外方延出部７４のねじ止め用孔８５ａを通ったねじ６３が前記第三の左側ボス２３に螺合することにより前記第二の左側ボス３５と前記左側外方延出部７４と前記第三の左側ボス２３とが共締めされている。
前記第二の右側ボス３６のねじ止め用孔３６ａと前記右側外方延出部７５のねじ止め用孔８５ａを通ったねじ６４が前記第三の右側ボス２４に螺合することにより前記第二の右側ボス３６と前記右側外方延出部７５と前記第三の右側ボス２４とが共締めされている。
前記フック部５２が前記第二の開口３２及び前記第一の開口８１ａに挿入して前記水平延出部７６に掛止したときに下から前記スタンド５０のねじ止め用孔５３及び前記キャビネット３０の底部３１のねじ止め用孔３１ａを通ったねじ６５が前記板金ねじ孔８１ｂに螺合することにより前記水平延出部７６が前記スタンド５０に固定されている。
【００４０】
（３）変形例：
ところで、本発明は、様々な変形例が考えられる。
薄型表示装置は、プラズマテレビジョン、記録再生装置が一体化されたテレビジョン、等のディスプレイでもよい。前記記録再生装置には、ハードディスク記録再生装置、ＤＶＤ（Digital Versatile Disk）記録再生装置、ビデオデッキ、等が含まれる。
【００４１】
上述した掛止部５２の代わりに、支持部材下端部７０ｂに掛止部を設けてもよい。例えば、スタンド５０の上面５１ａ（一方の部位）に開口を形成し、支持部材７０の水平延出部７６（他方の部位）に前記開口に挿入してスタンド上面５１ａに掛止するフック部を形成すれば、このフック部が前記開口に挿入してスタンド上面５１ａに掛止することによりスタンドがテレビジョン本体に位置決めされる。このフック部は、キャビネット底部３１の第二の開口３２にも挿入してスタンド上面５１ａに掛止する部位でもよい。
【００４２】
なお、位置決め用のフック部を有していない薄型表示装置、支持部材を共締めする構造となっていない薄型表示装置、キャビネット底部をスタンドと支持部材とで挟む構造となっていない薄型表示装置、等にも、本発明を適用可能である。
【００４３】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４４】
【図１】薄型表示装置を例示する正面図。
【図２】図１に示す薄型表示装置を図１のＡ１方向から見て示す左側面図。
【図３】図１に示す薄型表示装置を図１のＡ２−Ａ２の位置で断面視して示す垂直断面図。
【図４】図１に示す薄型表示装置を図１のＡ３−Ａ３の位置で断面視して示す垂直断面図。
【図５】図１に示す薄型表示装置の要部を図１のＡ４−Ａ４の位置で断面視して示す垂直断面図。
【図６】図１に示す薄型表示装置の要部を図１のＡ５−Ａ５の位置で断面視して示す垂直断面図。
【図７】フロントキャビネットを例示する背面図。
【図８】リヤキャビネットを例示する正面図。
【図９】薄型表示装置の本体を例示する底面図。
【図１０】表示パネルを例示する背面図。
【図１１】スタンドを例示する斜視図。
【図１２】スタンドを例示する底面図。
【図１３】支持部材を例示する斜視図。
【図１４】加工前の板金を例示する背面図。
【図１５】薄型表示装置の本体を組み立てる様子を図１のＡ２−Ａ２の位置で断面視して例示する分解図。
【図１６】薄型表示装置の本体を組み立てる様子を図１のＡ３−Ａ３の位置で断面視して例示する分解図。
【図１７】薄型表示装置を組み立てる様子を図１のＡ５−Ａ５の位置で断面視して例示する分解図。
【図１８】比較例に係る液晶テレビジョンを組み立てる様子を示す左側面図。
【図１９】比較例に係る液晶テレビジョンの要部を示す左側面図。
【符号の説明】
【００４５】
１…液晶テレビジョン（薄型表示装置）、
１０…本体、
２０…フロントキャビネット、２０ａ…前面、２０ｂ…内面、
２１…表示窓、
２３…第三の左側ボス（第三のボス）、２３ａ…ねじ孔
２４…第三の右側ボス（第三のボス）、２４ａ…ねじ孔、
３０…リヤキャビネット、３０ａ…内面、３０ｂ…背面、
３１…底部、３１ａ…ねじ止め用孔、３２…第二の開口、
３３…第一の左側ボス、３３ａ…ねじ止め用孔、
３４…第一の右側ボス、３４ａ…ねじ止め用孔、
３５…第二の左側ボス（第二のボス）、３５ａ…ねじ止め用孔、
３６…第二の右側ボス（第二のボス）、３６ａ…ねじ止め用孔、
４０…表示パネル、４０ａ…表示面、４０ｂ…背面、
４１…左側パネルねじ孔、４２…右側パネルねじ孔、４３…パネルねじ孔、
５０…スタンド、５０ｂ…底面、
５１…凸部、５１ａ…上面、
５２…フック部（掛止部）、５３…ねじ止め用孔、５４…ねじ回し用孔、
６０…支持手段、６１〜６５…ねじ、
７０…支持部材、７０ａ…上部、７０ｂ…下端部、
７１…後部延出部、７１ａ…下縁、７１ｃ…左縁、７１ｄ…右縁、
７２…左側前方延出部、７３…右側前方延出部、
７４…左側外方延出部、７５…右側外方延出部、
７６…水平延出部、
８１…被固定部、８１ａ…第一の開口、８１ｂ…板金ねじ孔、
８２…左側退避部、８３…右側退避部、
８４…固定用部位、８４ａ…ねじ止め用孔、
８５…第二の固定用部位、８５ａ…ねじ止め用孔、
Ｄ１…幅方向、
Ｐ１…加工前の板金、
【図１】
2010141610.tif 000003
【図２】
2010141610.tif 000004
【図３】
2010141610.tif 000005
【図４】
2010141610.tif 000006
【図５】
2010141610.tif 000007
【図６】
2010141610.tif 000008
【図７】
2010141610.tif 000009
【図８】
2010141610.tif 000010
【図９】
2010141610.tif 000011
【図１０】
2010141610.tif 000012
【図１１】
2010141610.tif 000013
【図１２】
2010141610.tif 000014
【図１３】
2010141610.tif 000015
【図１４】
2010141610.tif 000016
【図１５】
2010141610.tif 000017
【図１６】
2010141610.tif 000018
【図１７】
2010141610.tif 000019
【図１８】
2010141610.tif 000020
【図１９】
2010141610.tif 000021